(57)【要約】【課題】宅内に引き込まれた光ドロップケーブルの宅内配線を容易に、かつ、きれいに配線ができる光ドロップケーブルを提供する。【解決手段】光ファイバ心線１１の両側に間隔をあけてテンションメンバ１２を配置し、両者の上に円形または楕円形の保護被覆１５を施してなる光ファイバケーブルにおいて、上記保護被覆の長軸／短軸の比を１から２とし、光ファイバ心線１１と保護被覆１５との間に微小ギャップＧを設けたものであり、上記微小ギャップＧを０．５ｍｍ以下とし、上記保護被覆１５を低摩擦難燃ポリウレタン、または低摩擦難燃ポリエチレンで形成したものである。【選択図】図１
2006330261.tif 000002
【特許請求の範囲】
【請求項１】
光ファイバ心線の両側に間隔をあけてテンションメンバを配置し、両者の上に円形または楕円形の保護被覆を施してなる光ファイバケーブルにおいて、上記保護被覆の長軸／短軸の比を１から２とし、光ファイバ心線と保護被覆との間に微小ギャップを設けたことを特徴とする施工性改良ドロップケーブル。
【請求項２】
上記微小ギャップを０．５ｍｍ以下としたことを特徴とする請求項１に記載の施工性改良ドロップケーブル。
【請求項３】
上記保護被覆を低摩擦難燃ポリウレタン、または低摩擦難燃ポリエチレンで形成したことを特徴とする請求項１または２に記載の施工性改良光ドロップケーブル。
【請求項４】
上記保護被覆を二層とし、少なくとも外層が低摩擦難燃ポリウレタン、または低摩擦難燃ポリエチレンで形成したことを特徴とする請求項１乃至３のいずれかに記載の施工性改良光ドロップケーブル。
【請求項５】
上記保護被覆の二層が、異なる色の樹脂からなることを特徴とする請求項４に記載の施工性改良光ドロップケーブル。
【発明の詳細な説明】
【技術分野】
【０００１】
この発明は、架空光伝送ケーブルから中間光ドロップクロージャを経て、利用者宅へ引き込まれる光ドロップケーブルに関する。
【背景技術】
【０００２】
架空光伝送ケーブル３１は、図３（ａ）に示す如く電柱３２等に架渉されており、利用者宅３３へは、中間光ドロップクロージャ３４を経て引き込まれ、上記中間光ドロップクロージャ３４と利用者宅３３との間は、図２に示す光ドロップケーブル１０の支持線に吊架され、その支持線は利用者住宅３３に取付けられたブラケット（図示せず）等に引き留められ、それから先は、支持線と光ケーブル本体１０ａとは切り離されて光ケーブル本体１０ａ（図３（ｂ）参照）だけが宅内に引き込まれる。
【０００３】
ここで、宅内に引き込まれた光ケーブル本体１０ａは、図３（ｂ）に示す如く壁面３５を引き下ろし、幅木３６、床面３７などを這わして配線するが、この配線において配線方向を変えなければならないことが当然発生し、光ケーブル本体１０ａを折り曲げることとなる。
【０００４】
上記折り曲げる際、光ケーブル本体１０ａの横（短軸）方向に折り曲げるのは容易であるが、縦（長軸）方向に折り曲げることは難しく実質的に不可能で、実際には光ケーブル本体１０ａを９０度捻って折り曲げることとなる。
【発明の開示】
【発明が解決しようとする課題】
【０００５】
上記のようにケーブルを９０度捻って配線するところでは、配線作業が難しくなり、かつ、きれいに配線することができず、見苦しいものとならざるをえない。
【０００６】
上記状況に鑑みこの発明は、宅内に引き込まれた光ドロップケーブルの宅内配線を容易に、かつ、きれいに配線ができる光ドロップケーブルを提供することを課題とする。
【課題を解決するための手段】
【０００７】
上記課題を解決するためにこの発明は、光ファイバ心線の両側に間隔をあけてテンションメンバを配置し、両者の上に円形または楕円形の保護被覆を施してなる光ファイバケーブルにおいて、上記保護被覆の長軸／短軸の比を１から２とし、光ファイバ心線と保護被覆との間に微小ギャップを設けたものであり、上記微小ギャップを０．５ｍｍ以下とし、上記保護被覆を低摩擦難燃ポリウレタン、または低摩擦難燃ポリエチレンで形成したものである。
【発明の効果】
【０００８】
上記の如く構成するこの発明によれば、支持線から切り離されて宅内に引き込まれた光ケーブル本体は、断面円形、または長軸／短軸の比を１〜２とする楕円形をしており、かつ、光ファイバ心線と保護被覆との間に微小ギャップを設けているので、いずれの方向にも曲げ易くなり配線作業性が改善される。
【０００９】
また、保護被覆および外被に低摩擦難燃ポリウレタン、または低摩擦難燃ポリエチレンを採用することによって、配線時の光ドロップケーブルの滑りがよくなって光ファイバ心線に負荷がかからず、外圧が加わったとき保護被覆と光ファイバ心線間の微小ギャップによって、外圧は光ファイバ心線を直撃せず伝送特性の低下を引き起こすことを防止する効果がある。
【００１０】
また、図１（ｄ）のように保護被覆を二層押出しにすることにより、材料コストの高い低摩擦難燃ポリウレタンの使用量を少なくして材料コストを低減し、内・外層を色違いにすることにより、床面、壁面を這わせた際に発生する外層の摩耗、傷などを検知できる効果がある。
【００１１】
上記課題解決のための手段において、保護被覆の長軸／短軸の比を１〜２としたのは、１以下では長軸と短軸の関係が逆転して、外被の剥ぎ取り作業に支障をきたし、２以上では長楕円になって、配線、とりわけ長軸方向の折り曲げが困難になるからである。
【００１２】
また、上記保護被覆と光ファイバ心線間の微小ギャップを０．５ｍｍ以下としたのは、０．５ｍｍを超えると保護被覆の、Ｖ字状凹溝の谷底部分における肉厚が薄くなり、保護被覆が座屈する恐れがあるからである。
【発明を実施するための最良の形態】
【００１３】
次にこの発明の実施形態を、図面を参照しながら説明する。
【実施例１】
【００１４】
図１（ａ）は第１実施例に係る光ドロップケーブル１０の断面図で、０．２５ｍｍφの光ファイバ心線１１を並列し、その両サイドに０．６ｍｍの間隔をあけて、０．４５ｍｍφのアラミド繊維強化プラスチック紐からなるテンションメンバ１２を平行配置し、更に上記テンションメンバ１２と光ファイバ心線１１を結ぶ延長線上に１．２ｍｍφの亜鉛メッキ鋼線１３を平行配置し、低摩擦難燃ポリウレタンを素材とする保護被覆１５を、ブリッジ１７と外被１６とともに一体に押出し成形する。
【００１５】
上記保護被覆１５の成形では、光ファイバ心線１１を支持・通過させるニップルの前端をダイスの前面から僅かに突出して、いわゆるパイプ押出し方式を採用し、光ファイバ心線１１上に０．２ｍｍの微小ギャップＧ（最大０．５ｍｍ）を設けて外径が３．０ｍｍφになる保護被覆１５を、高さは０．１ｍｍ、厚さは０．２ｍｍのブリッジ１７と亜鉛メッキ鋼線１３上に厚さ０．４ｍｍで外径２．０ｍｍφの外被１６とともに一体に成形する。
【００１６】
上記保護被覆１５の外周面長手方向には、底面が半径０．２ｍｍ、深さ０．３ｍｍのＶ字状凹溝１４が形成されている。
【００１７】
なお、本実施例における上記の各部分の寸法は、単なる実施例であって特許請求の範囲を拘束するものではない。また、保護被覆等の素材に低摩擦難燃ポリウレタンを採用したが、難燃ポリエチレン、低摩擦難燃ポリエチレンを採用することができ、硬度（ＨＤＡ）９０以上で塩化ビニルに対する摩擦係数が０．２以下の低摩擦難燃ポリウレタンを採用することが好ましい。
【実施例２】
【００１８】
図１（ｂ）は第２実施例に係る光ドロップケーブル１０の断面図で、０．２５ｍｍφの光ファイバ心線１１を並列し、その両サイドに０．４ｍｍの間隔をあけて、０．４５ｍｍφのアラミド繊維強化プラスチック紐からなるテンションメンバ１２を平行配置し、更に上記テンションメンバ１２と光ファイバ心線１１を結ぶ延長線上に１．２ｍｍφの亜鉛メッキ鋼線１３を平行配置し、保護被覆１５を、ブリッジ１７と外被１６とともに一体に押出し成形する。
【００１９】
上記保護被覆１５の成形では、光ファイバ心線１１を支持・通過させるニップルの前端をダイスの前面から僅かに突出して、いわゆるパイプ押出し方式を採用し、光ファイバ心線１１上に０．３ｍｍの微小ギャップＧ（最大０．５ｍｍ）を設け、長軸２．４ｍｍ×短軸２．０ｍｍになる楕円形の保護被覆１５を、高さ０．１ｍｍ、厚さ０．２ｍｍのブリッジ１７と亜鉛メッキ鋼線１３上に厚さ０．４ｍｍで外径２．０ｍｍφの外被１６とともに一体に成形する。
【００２０】
また、保護被覆１５の外周面長手方向には、底面が半径０．２ｍｍ、深さ０．３ｍｍのＶ字状凹溝１４が形成されている。なお、本実施例における上記の各部分の寸法は、単なる実施例であって特許請求の範囲を拘束するものではない。
【実施例３】
【００２１】
図１（ｃ）は第３実施例に係る光ドロップケーブル１０の断面図で、０．２５ｍｍφの光ファイバ心線を４心並列した光ファイバテープ心線１１、その両サイドに０．４ｍｍの間隔をあけて、０．４５ｍｍφのアラミド繊維強化プラスチック紐からなるテンションメンバ１２を平行配置し、更に上記テンションメンバ１２と光ファイバテープ心線１１を結ぶ延長線上に１．２ｍｍφの亜鉛メッキ鋼線１３を平行配置し、保護被覆１５を、ブリッジ１７と外被１６とともに一体に押出し成形する。
【００２２】
上記保護被覆１５の成形では、光ファイバ心線１１を支持・通過させるニップルの前端をダイスの前面から僅かに突出して、いわゆるパイプ押出し方式を採用し、光ファイバテープ心線１１上に短辺側０．１１ｍｍ、長辺側０．３６ｍｍの微小ギャップＧを設け長軸４．０ｍｍ×短軸２．０ｍｍになる楕円形の保護被覆１５を、高さは０．１ｍｍ、厚さは０．２ｍｍのブリッジ１７と亜鉛メッキ鋼線１３上に厚さ０．４ｍｍで外径２．０ｍｍφの外被１６とともに一体に成形する。
【００２３】
また、保護被覆１５の外周面長手方向には、底面が半径０．２ｍｍ、深さ０．３ｍｍのＶ字状凹溝１４が形成されている。なお、本実施例における上記の各部分の寸法は、単なる実施例であって特許請求の範囲を拘束するものではない。
【００２４】
上記実施例１〜３において、例えば実施例３を用いて説明すると、図１（ｄ）に示すように、上記保護被覆等の押出し成形を二層押出しとし、外層を低摩擦難燃ポリウレタン、または低摩擦難燃ポリエチレンとし、内層に一般的な難燃ポリエチレンを採用し、外層の厚さを０．１ｍｍとして一体に押出し成形することができる。なお、外層の厚さはこれに限定されるものではなく適宜決めることができる。
【産業上の利用可能性】
【００２５】
以上説明した如くこの発明によれば、光ドロップケーブルが宅内に引き込まれた後は、支持線から切り離されて断面円形、または特定の長軸・短軸からなる楕円形となり、いずれの方向にも容易に折り曲げられ宅内配線作業性が大幅に向上し、きれいに配線されるようになる。
【００２６】
また、保護被覆および外被が低摩擦難燃ポリウレタンを採用しているので宅内配線作業において、内部の光ファイバ心線に負荷がかからず、加えて、保護被覆と光ファイバ心線との間に微小ギャップを設けているので屈曲時や外圧がかかったとき、その負荷が光ファイバ心線に直接加わらず、伝送特性の低下を引き起こすことを防止する効果を得ることができる。
【図面の簡単な説明】
【００２７】
【図１】本発明に係る光ドロップケーブルの断面図で、（ａ）は実施例１、（ｂ）は実施例２、（ｃ）は実施例３、（ｄ）は（ｃ）の一部変形例を示す。
【図２】従来技術に係る光ドロップケーブルの断面図
【図３】光ドロップケーブルの引き込み工事説明図で（ａ）は屋外部分、（ｂ）は宅内部分を示す。
【符号の説明】
【００２８】
１０  光ドロップケーブル
１０ａ  光ケーブル本体
１１  光ファイバ（テープ）心線
１２  テンションメンバ
１３  亜鉛メッキ鋼線
１４  Ｖ字状凹溝
１５  保護被覆
１６  外被
１７  ブリッジ
３１  架空光伝送ケーブル
３２  電柱
３３  利用者宅
３４  中間光ドロップクロージャ
３５  壁面
【図１】
2006330261.tif 000003
【図２】
2006330261.tif 000004
【図３】
2006330261.tif 000005